(57)【特許請求の範囲】
【請求項１】
把持部と、前記把持部に支持されるヘッド部と、を備える電気かみそりであって、
前記ヘッド部は、外刃と、当該外刃の内方に配設されて前記外刃に対して相対移動することで、刃穴に挿入された体毛を切断する内刃と、切断した体毛を溜めることが可能な空間部と、を有しており、
前記内刃が駆動子の内刃装着部に取り付けられており、
前記ヘッド部には、前記空間部に連通する開口窓と、当該開口窓を開閉可能に覆う蓋部とが形成されており、
前記蓋部を操作する操作子が、前記電気かみそりの正面における端部に形成されており、
前記電気かみそりの正面視で、前記内刃の端縁と前記開口窓とが上下方向でオーバーラップしているとともに、前記内刃装着部が前記開口窓と上下方向でオーバーラップしていないことを特徴とする電気かみそり。
【請求項２】
前記開口窓が前記電気かみそりの正面における端部に形成されており、前記操作子が前記蓋部の前記開口窓を覆う領域に設けられていることを特徴とする請求項１に記載の電気かみそり。
【請求項３】
前記外刃と前記内刃とを相対移動させるスイッチ部が前記電気かみそりの正面に設けられていることを特徴とする請求項１または請求項２に記載の電気かみそり。
【請求項４】
前記開口窓が複数設けられていることを特徴とする請求項１〜３のうちいずれか１項に記載の電気かみそり。
【請求項５】
前記電気かみそりの正面における中央部の前記操作子よりも下側に滑り止め部が設けられていることを特徴とする請求項１〜４のうちいずれか１項に記載の電気かみそり。
【請求項６】
前記内刃は、前記外刃に対して往復動しており、
前記電気かみそりの正面視における前記内刃の端縁が、前記外刃に対する往復動のいずれの状態にあっても、前記開口窓と上下方向でオーバーラップしていることを特徴とする請求項１〜５のうちいずれか１項に記載の電気かみそり。
【請求項７】
前記空間部を画成する下面部には、前記電気かみそりの正面視における中央部から前記開口窓に向けて傾斜する傾斜部が形成されていることを特徴とする請求項１〜６のうちいずれか１項に記載の電気かみそり。
【請求項８】
１つの前記操作子で複数の前記開口窓を開閉することが可能となるように形成されていることを特徴とする請求項４に記載の電気かみそり。
【請求項９】
複数の前記開口窓のうち少なくともいずれか１つの開口窓に前記操作子が設けられていることを特徴とする請求項４または請求項８に記載の電気かみそり。
【発明の詳細な説明】
【技術分野】
【０００１】
本発明は、電気かみそりに関する。
【背景技術】
【０００２】
従来、電気かみそりとして、外刃ホルダに通水用の開口窓を形成し、当該開口窓を蓋部で開閉可能に覆ったものが知られている（例えば、特許文献１参照）。
【０００３】
この特許文献１では、操作子を上下方向にスライドさせることで蓋部を回動させて、開口窓の開閉を行えるようにしている。
【先行技術文献】
【特許文献】
【０００４】
【特許文献１】実開昭５９−０７５２５３号公報
【発明の概要】
【発明が解決しようとする課題】
【０００５】
しかしながら、上記従来の技術では、使用者が把持するかみそり本体の中心軸上に操作子が設けられているため、電気かみそりの使用時に、使用者が誤って操作子を操作してしまうおそれがあった。
【０００６】
そこで、本発明は、使用時に、開口窓の開閉を行う操作子を誤って操作してしまうことを抑制することのできる電気かみそりを得ることを目的とする。
【課題を解決するための手段】
【０００７】
本発明の第１の特徴は、把持部と、前記把持部に支持されるヘッド部と、を備える電気かみそりであって、前記ヘッド部は、外刃と、当該外刃の内方に配設されて前記外刃に対して相対移動することで、刃穴に挿入された体毛を切断する内刃と、切断した体毛を溜めることが可能な空間部と、を有しており、前記内刃が駆動子の内刃装着部に取り付けられており、前記ヘッド部には、前記空間部に連通する開口窓と、当該開口窓を開閉可能に覆う蓋部とが形成されており、前記蓋部を操作する操作子が、前記電気かみそりの正面における端部に形成されており、前記電気かみそりの正面視で、前記内刃の端縁と前記開口窓とが上下方向でオーバーラップしているとともに、前記内刃装着部が前記開口窓と上下方向でオーバーラップしていないことを要旨とする。
【０００８】
本発明の第２の特徴は、前記開口窓が前記電気かみそりの正面における端部に形成されており、前記操作子が前記蓋部の前記開口窓を覆う領域に設けられていることを要旨とする。
【０００９】
本発明の第３の特徴は、前記外刃と前記内刃とを相対移動させるスイッチ部が前記電気かみそりの正面に設けられていることを要旨とする。
【００１０】
本発明の第４の特徴は、前記開口窓が複数設けられていることを要旨とする。
【００１１】
本発明の第５の特徴は、前記電気かみそりの正面における中央部の前記操作子よりも下側に滑り止め部が設けられていることを要旨とする。
【００１３】
本発明の第６の特徴は、前記内刃は、前記外刃に対して往復動しており、前記電気かみそりの正面視における前記内刃の端縁が、前記外刃に対する往復動のいずれの状態にあっても、前記開口窓と上下方向でオーバーラップしていることを要旨とする。
【００１５】
本発明の第７の特徴は、前記空間部を画成する下面部には、前記電気かみそりの正面視における中央部から前記開口窓に向けて傾斜する傾斜部が形成されていることを要旨とする。
【００１６】
本発明の第８の特徴は、１つの前記操作子で複数の前記開口窓を開閉することが可能となるように形成されていることを要旨とする。
【００１７】
本発明の第９の特徴は、複数の前記開口窓のうち少なくともいずれか１つの開口窓に前記操作子が設けられていることを要旨とする。
【発明の効果】
【００１８】
本発明によれば、開口窓を開閉可能に覆う蓋部を操作する操作子を、電気かみそりの正面における端部に形成している。すなわち、電気かみそり正面における使用者が把持部を把持した際に親指が置かれる部位から左右に外れた部位に操作子を設けている。そのため、電気かみそり使用時に、開口窓の開閉を行う操作子を誤って操作してしまうことを抑制することができるようになる。
【図面の簡単な説明】
【００１９】
【図１】本発明の一実施形態にかかる電気かみそりを示す正面図である。
【図２】本発明の一実施形態にかかる電気かみそりを示す分解斜視図である。
【図３】本発明の一実施形態にかかる開口窓を示す図であって、蓋部により開口部が閉じられた状態を示す正面図である。
【図４】本発明の一実施形態にかかる開口部を示す図であって、蓋部により開口部が閉じられた状態を示す断面図である。
【図５】本発明の一実施形態にかかるヘッド部を示す図であって、蓋部により開口部が閉じられた状態において、刃フレーム部および内刃を取り外した状態を示す斜視図である。
【図６】図５に内刃を取り付けた状態を示す斜視図である。
【図７】本発明の一実施形態にかかる開口部を示す図であって、蓋部により開口部が開かれた状態を示す正面図である。
【図８】本発明の一実施形態にかかる開口部を示す図であって、蓋部により開口部が開かれた状態を示す断面図である。
【図９】本発明の一実施形態にかかるヘッド部を示す図であって、蓋部により開口部が開かれた状態において、刃フレーム部および内刃を取り外した状態を示す斜視図である。
【図１０】図９に内刃を取り付けた状態を示す斜視図である。
【発明を実施するための形態】
【００２０】
以下、本発明の実施形態について図面を参照しながら詳細に説明する。なお、以下では、複数の外刃が並設される方向を前後方向（剃り方向）Ｘ、各外刃が延在する方向を左右方向Ｙ、外刃が上方を向くようにヘッド部を配置した状態における上下方向を上下方向Ｚとして説明する。また、電気かみそりのスイッチ部が設けられている側を前後方向Ｘ前方として説明する。
【００２１】
本実施形態にかかる電気かみそり１は、図１に示すように、手で把持する把持部２と、把持部２に支持されるヘッド部３と、を備えている。
【００２２】
把持部２は、合成樹脂製の把持部本体２１を備えており、この把持部本体２１には、駆動機構１００の回転モータ１１０（図２参照）の駆動をオン・オフさせるスイッチ部２２が形成されている。また、電気かみそり１の正面視（電気かみそり１をスイッチが設けられている側から見た状態）で、把持部本体２１の両端には、接点端子２３が突設されている。この接点端子２３は、リード線２３ａを介して、把持部本体２１内部に内蔵される充電池１２０に電気的に接続されている。そして、図示せぬ充電台に電気かみそり１を載置し、接点端子２３を充電台の接点部に当接させることで充電を行えるようになっている。また、本実施形態にかかる電気かみそり１にはトリマーユニット４が形成されており、把持部本体２１の背面側（後側：スイッチ部２２が形成されている面の反対側）には、トリマーハンドル４１が上下方向にスライド可能に取り付けられている。このトリマーハンドル４１の上端には、トリマー刃４１ａが形成されており、トリマーハンドル４１は保持枠４２によって保持されている（図２参照）。なお、トリマーユニット４を設けないようにしてもよい。
【００２３】
電気かみそり１の外壁をなす把持部本体２１は、複数の分割体を継ぎ合わせて構成されている。複数の分割体は、ねじ８４を用いたり、分割体同士を嵌合させたりすることで継ぎ合わせることができる。そして、把持部本体２１の内部には空洞が形成されており、この空洞内に、各種電気部品が収容されている。
【００２４】
本実施形態では、図２に示すように、前側ハウジング２５と後側ハウジング２６とをＯリング２６ａを介して継ぎ合わせて形成される密閉空間内に、回転モータ１１０や充電池１２０等を収容している。
【００２５】
充電池１２０は、電池陽極金具１２２および電池陰極金具１２３に当接するように電池基台１２１に取り付けられており、電池陽極金具１２２および電池陰極金具１２３は回路基板１２４に電気的に接続されている。この回路基板１２４には、スイッチ釦軸１２７が取り付けられており、スイッチ部２２を押圧することで、スイッチ釦軸１２７が押圧されて回転モータ１１０（図２参照）の駆動のオン・オフが切り換えられるようになっている。なお、回転モータ１１０は、リード線１１２を介して充電池１２０に電気的に接続されている。また、図２の符号２２ａはフィルタ押さえ板、２２ｂはフィルタ、１２５はＯリング、１２６は座金である。
【００２６】
さらに、本実施形態では、前側ハウジング２５および後側ハウジング２６の下部に、下側カバー２９ａ，２９ｂがそれぞれ取り付けられている。そして、前側ハウジング２５の前部には、前面パネル２８が取り付けられており、前面パネル２８の上側には、シャッター（蓋部）２００を上下方向にスライド可能に保持するシャッターカバー２７が取り付けられている。
【００２７】
そして、ヘッド部３には上方に向けて露出する外刃５１が形成されており、外刃５１の内方（外刃５１の下側）に配設された内刃５４を外刃５１に対して相対移動（左右方向Ｙへ往復動）させることで、外刃５１の刃穴内に挿入された体毛を、外刃５１と内刃５４とで協働して切断するようにしている。
【００２８】
以下、ヘッド部３の構成について説明する。
【００２９】
ヘッド部３は、図２に示すように、把持部本体２１に一体に設けられたヘッド部本体７０と、当該ヘッド部本体７０に着脱自在に装着される刃フレーム部３０と、を備えている。
【００３０】
本実施形態では、上方に向けて開口したヘッドケース７１に形成された駆動機構収容部７２内に回転モータ１１０以外の駆動機構１００を収容するとともに、当該回転モータ１１０以外の駆動機構１００を駆動機構収容部７２内に収容した状態で上開口部にヘッドケースカバー８１を被せ、駆動子防水ゴム８２とゴム押さえ板８３を介してねじ８４で固定することで、ヘッド部本体７０を形成している。
【００３１】
具体的には、駆動機構１００は、図２に示すように、回転モータ１１０と、当該回転モータ１１０に支持され、互いに逆位相で往復動する第１および第２駆動子１３０，１４０と、回転モータ１１０の回転運動を往復運動に変換して第１および第２駆動子１３０，１４０に伝達する変換機構１８０と、を備えている。
【００３２】
回転モータ１１０は、回転軸１１１を駆動機構収容部７２内に突出させた状態でヘッドケース７１の下方の把持部本体２１に収容されている。
【００３３】
また、変換機構１８０としては、公知のものを用いることができ、例えば、偏心軸を回転モータ１１０の回転軸１１１から偏心させて設けることで回転モータ１１０の回転運動を往復運動に変換させることができる。このとき、回転モータ１１０の回転軸１１１回りに１８０°の位相差で２つの偏心軸を設けるようにすれば、回転モータ１１０の回転運動を第１駆動子１３０および第２駆動子１４０の逆位相の往復運動に変換させることができる。
【００３４】
第１および第２駆動子１３０，１４０には、内刃５４が着脱可能に取り付けられる内刃装着部１３１，１４１がそれぞれ設けられている。なお、図２の符号１３１ａ，１４１ａは内刃５４を上方に付勢するスプリング、１３１ｂ，１４１ｂはスプリング１３１ａ，１４１ａを上方に付勢した状態で保持するストッパである。
【００３５】
本実施形態では、駆動機構１００は、回転モータ１１０、内刃５４およびトリマー刃４１ａが取り付けられる装着部以外の部位が、駆動機構収容部７２内に収容されている。上述したように、回転モータ１１０は、把持部本体２１内に収容されており、内刃５４およびトリマー刃４１ａが取り付けられる装着部は、ヘッド部本体７０の上方に露出している。
【００３６】
具体的には、まず、ヘッドケースカバー８１をヘッドケース７１の上開口部に被せる際に、第１および第２駆動子１３０，１４０の内刃装着部１３１，１４１をヘッドケースカバー８１に形成された挿通孔８１ａから挿通させて、ヘッドケースカバー８１の上方に露出させる。
【００３７】
次に、上方に露出した内刃装着部１３１，１４１を駆動子防水ゴム８２に形成された挿通孔８２ａ，８２ｂから挿通させて、駆動子防水ゴム８２の上方に露出させる。このとき、内刃装着部１３１，１４１の首部が駆動子防水ゴム８２にて緊迫され、駆動機構収容部７２の内部空間が封止されるようにしている。
【００３８】
そして、駆動子防水ゴム８２の上方に露出した内刃装着部１３１，１４１を、ゴム押さえ板８３に形成された挿通孔８３ａから挿通させてゴム押さえ板８３の上方に露出させる。また、ゴム押さえ板８３の上方に露出した内刃装着部１３１，１４１に、駆動桿１３２，１４２をそれぞれ取り付ける。こうして、駆動機構１００は、内刃５４およびトリマー刃４１ａが取り付けられる装着部のみがヘッド部本体７０の上方に露出した状態で駆動機構収容部７２内に収容される。すなわち、本実施形態では、第１および第２駆動子１３０，１４０の内刃装着部１３１，１４１と内刃装着部１３１，１４１にそれぞれ取り付けられる駆動桿１３２，１４２が内刃５４およびトリマー刃４１ａが取り付けられる装着部となっている。
【００３９】
このように、本実施形態では、ヘッドケース７１、ヘッドケースカバー８１、駆動子防水ゴム８２およびゴム押さえ板８３により略箱状の防水空間（封止空間）を形成し、内刃５４によって剃られた体毛、内刃５４を洗浄する際に使用する水などが、回転モータ１１０等が収容される防水空間内に侵入するのを抑制している。このとき、ヘッドケースカバー８１、駆動子防水ゴム８２およびゴム押さえ板８３の上部には、内刃５４によって剃られた体毛を溜めることが可能な空間部Ｓが形成される。すなわち、空間部Ｓは、ヘッドケースカバー８１、駆動子防水ゴム８２およびゴム押さえ板８３によって下面が画成されている。
【００４０】
刃フレーム部３０は、図２に示すように、複数の外刃５１を上下動自在に備えた箱型の外刃カセット５０と、当該外刃カセット５０を下側から収納して装着させることで外刃カセット５０の外刃フレーム５９を全周に亘って覆い隠す筒型の外周枠６０と、を備えている。
【００４１】
外刃カセット５０は、前後方向Ｘに複数並設された外刃５１を備えている。本実施形態では、３枚（複数）の外刃５１を備えており、第１のネット刃５１ａ、スリット刃５１ｃ、第２のネット刃５１ｂが前後方向Ｘに並設されている（図４参照）。
【００４２】
ネット刃５１ａ，５１ｂはいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃５１ａ，５１ｂは、正面視（前後方向Ｘに外刃を視た状態）で上方が凸となるように左右方向（長手方向）Ｙに沿って若干湾曲して形成されている。なお、本実施形態では、ネット刃５１ａ，５１ｂを、正面視で上方が凸となるように湾曲させているが、必ずしも湾曲させる必要はない。
【００４３】
そして、このネット刃５１ａ，５１ｂには、多数の刃穴（図示せず）が画成されている。
【００４４】
スリット刃５１ｃは、図４に示すように、前後方向（短手方向）Ｘに沿ってコ字状に湾曲形成されており、平坦な上壁から側壁に至る多数のスリット（刃穴）を穿設することで形成されている。
【００４５】
すなわち、スリット刃５１ｃには、多数のスリット（刃穴）が、平坦な上壁から側壁に至る略コ字状の桟および側壁の下部で長手方向（左右方向）Ｙに沿って延在する桟によって画成されている。
【００４６】
そして、外刃５１を成す各ネット刃５１ａ，５１ｂおよびスリット刃５１ｃは、それぞれ専用の外刃枠に取り付けることで、外刃ユニットを形成している。
【００４７】
そして、外刃ユニットを、外刃フレーム５９にそれぞれ独立して上下移動可能に係合させることで、外刃カセット５０を形成している。この外刃カセット５０は、外周枠６０に着脱自在に装着されるとともに、ヘッド部本体７０に着脱自在に装着されるものである。
【００４８】
内刃５４は、外刃５１を成す各ネット刃５１ａ，５１ｂおよびスリット刃５１ｃに対して専用のものが設置されている。具体的には、各ネット刃５１ａ，５１ｂの下方（内方）に、対応するネット刃５１ａ，５１ｂの湾曲に沿う逆Ｕ字状の内刃５４ａ，５４ｂが配設されている（図４参照）。そして、スリット刃５１ｃの下方（内方）には、このスリット刃５１ｃの湾曲に沿うコ字状のスリット内刃５４ｃが配設されている。
【００４９】
本実施形態では、内刃５４ａ，５４ｂは、第１および第２駆動子１３０，１４０の内刃装着部１３１，１４１に取り付けられている。また、スリット内刃５４ｃは、駆動桿１３２に取り付けられている。そして、駆動機構１００を駆動させると、内刃５４ａ，５４ｂおよびスリット内刃５４ｃがそれぞれ左右方向（長手方向）Ｙに往復動するようになっている。なお、駆動桿１４２には、トリマー刃４１ａが取り付けられており、駆動機構１００を駆動させると、トリマー刃４１ａも左右方向（長手方向）Ｙに往復動するようになっている。
【００５０】
このように、各ネット刃５１ａ，５１ｂおよびスリット刃５１ｃの下方（内方）に配設された内刃５４ａ，５４ｂおよびスリット内刃５４ｃを、各ネット刃５１ａ，５１ｂおよびスリット刃５１ｃに対してそれぞれ相対移動（左右方向Ｙへの往復動）させることで、各ネット刃５１ａ，５１ｂの刃穴およびスリット刃５１ｃのスリット内に挿入された体毛を、各ネット刃５１ａ，５１ｂおよびスリット刃５１ｃと、内刃５４ａ，５４ｂおよびスリット内刃５４ｃと、で協働して切断するように構成している。
【００５１】
なお、本実施形態では、外刃カセット５０には、スリット内刃５４ｃがスリット刃５１ｃに対して往復動可能に装着されている。
【００５２】
また、外刃カセット５０の外刃フレーム５９の左右両側部には、図２に示すように、下方に向けて弾性片５９ａが延設されており、左右一対の弾性片５９ａにはそれぞれ左右方向に貫通した貫通孔５９ｂが形成されている。
【００５３】
また、上下両端が開口した（上端開口６０ａおよび下端開口６０ｂ）筒型の外周枠６０には、下端縁の左右両側部に凹陥部６１が形成されており、各凹陥部６１の底部からは、内側に向けてフック（図示せず）が突設されている。
【００５４】
そして、左右両端の弾性片５９ａを凹陥部６１に通しながら外刃カセット５０を下端開口６０ｂから外周枠６０内に挿入していくと、外周枠６０から内側に突出させたフック（図示せず）が、貫通孔５９ｂに係合される。こうして、外刃フレーム５９、すなわち、外刃カセット５０が外周枠６０に装着されるようにしている。
【００５５】
また、ヘッド部本体７０の左右両端には、図２に示すように、解除ボタン９０が、ばね９１により左右方向Ｙ外側に付勢された状態で突没可能に設けられている。
【００５６】
そして、外周枠６０の凹陥部６１に解除ボタン９０を通しながら、刃フレーム部３０をヘッド部本体７０に対して上方から被せることで、外刃フレーム５９（外刃カセット５０、または、刃フレーム部３０全体）が、ヘッド部本体７０上端に装着されるようになっている。
【００５７】
なお、本実施形態にかかる電気かみそり１は、図２に示す刃保護キャップ１５０を着脱可能に装着できるようになっており、この刃保護キャップ１５０を装着することで、電気かみそり１の外刃５１を保護できるようになっている。
【００５８】
ここで、本実施形態では、ヘッド部３に、内刃５４によって剃られた体毛を溜めることが可能な空間部Ｓに連通する開口窓２１０を設けている。この開口窓２１０は、空間部Ｓに溜まった体毛を洗浄する際に空間部Ｓ内に水を導入する導入口や空間部Ｓ内の体毛や水を排出する排出口として機能するものである。
【００５９】
具体的には、外周枠６０に外刃カセット５０を装着した状態で、外周枠６０の外刃カセット５０の下部に、スリット６２を形成している。そして、外周枠６０をヘッド部本体７０に装着することで、スリット６２とヘッドケースカバー８１の上面とで画成される開口窓２１０を設けている。このとき、外周枠６０をヘッド部本体７０に装着した状態で、ヘッドケースカバー８１のスリット６２と対応する位置に、切り欠き８１ｂを設けることで、ヘッドケースカバー８１の通常の上面部分よりも下方にも開口窓２１０が形成されるようにしている。
【００６０】
また、本実施形態では、電気かみそり１の正面視において、空間部Ｓの下面を画成するヘッドケースカバー８１の上面に、中央部から開口窓２１０に向けて傾斜する傾斜部８１ｃが形成されている。具体的には、電気かみそり１の正面視において、切り欠き８１ｂの中央側に、開口窓２１０に向けて傾斜する傾斜部８１ｃを設けることで、ヘッドケースカバー８１の上面を、中央部から開口窓２１０に向けて傾斜させている。
【００６１】
また、本実施形態では、開口窓２１０は、電気かみそり１の正面１ａであるヘッド部３の正面３ａの左右両端部にそれぞれ形成されている。すなわち、２つ（複数）の開口窓２１０が形成されている。そして、電気かみそり１の正面１ａの把持部２の中心軸（中央部１ｂ）から左右に外れた位置（端部１ｃ）に、開口窓２１０が形成されている。
【００６２】
そして、本実施形態では、開口窓２１０を開閉可能に覆うシャッター（蓋部）２００が設けられている。
【００６３】
本実施形態では、シャッター（蓋部）２００は、略Ｔ字状に形成されており、中央下端には、前側ハウジング２５の前面に形成された係合部２２０に係合可能な一対の係合片２０１，２０１が形成されている。一対の係合片２０１，２０１は、開口窓２１０を閉じた状態では、係合部２２０の上部で係合されており（図５参照）、開口窓２１０を開いた状態では、係合部２２０の下部で係合されるようになっている（図９参照）。
【００６４】
また、シャッター（蓋部）２００の水平部の両端には、開口窓２１０を覆うことが可能な被覆部２０２がそれぞれ設けられている。
【００６５】
さらに、本実施形態では、シャッター（蓋部）２００を操作する操作子２０３が、電気かみそり１の正面における端部１ｃに形成されている。
【００６６】
具体的には、操作子２０３は、シャッター（蓋部）２００のそれぞれの被覆部２０２の前面から前方に向けて突設されている。そして、それぞれの操作子２０３は、左右方向に延在するように被覆部２０２に設けられている。
【００６７】
このように、本実施形態では、２つ（複数）の開口窓２１０が電気かみそり１の正面１ａにおける端部１ｃに形成されており、操作子２０３がシャッター（蓋部）２００の開口窓２１０を覆う領域（被覆部２０２）に設けられている。
【００６８】
また、略Ｔ字状のシャッター（蓋部）２００の両端に被覆部２０２をそれぞれ設けることで、１つの操作子２０３を操作するだけで、２つ（複数）の開口窓２１０を開閉することができるようにしている。
【００６９】
なお、本実施形態では、２つ（複数）の開口窓２１０のいずれにも操作子２０３を設けたものを例示したが、２つ（複数）の開口窓２１０のうち少なくともいずれか１つの開口窓２１０に操作子２０３が設けられていればよい。
【００７０】
さらに、本実施形態では、内刃５４を駆動する（外刃５１と内刃５４とを相対移動させる）スイッチ部２２も電気かみそり１の正面１ａに設けられている。
【００７１】
そして、電気かみそり１の正面１ａにおける中央部１ｂには、滑り止め部２４が設けられている。
【００７２】
本実施形態では、滑り止め部２４は、電気かみそり１の正面１ａにおける中央部１ｂの操作子２０３よりも下側に設けられている。すなわち、滑り止め部２４は、把持部２の中央部に設けられている。
【００７３】
また、本実施形態では、電気かみそり１の正面視で、内刃５４の左右方向の端縁５４ｄと開口窓２１０とが上下方向でオーバーラップするように、開口窓２１０を形成している（図５，６，９，１０参照）。
【００７４】
そして、電気かみそり１の正面視における内刃５４の端縁５４ｄが、外刃に対する往復動のいずれの状態にあっても、開口窓２１０と上下方向でオーバーラップするように、開口窓２１０を形成している。すなわち、左右方向に往復動する内刃５４が、最も右側に位置する状態であっても、最も左側に位置する状態であっても、内刃５４の両端縁５４ｄが、それぞれ静止状態で上下方向にオーバーラップする開口窓２１０と上下方向でオーバーラップするようにしている。
【００７５】
さらに、内刃５４が装着される第１および第２駆動子１３０，１４０の内刃装着部１３１，１４１が、電気かみそり１の正面視において、開口窓２１０と上下方向でオーバーラップしないようにしている。本実施形態では、内刃装着部１３１，１４１を電気かみそり１の正面視において、中央部に位置するように設け、当該内刃装着部１３１，１４１が設けられた位置から外れた位置に開口窓２１０を形成している。
【００７６】
以上説明したように、本実施形態では、開口窓２１０を開閉可能に覆うシャッター（蓋部）２００を操作する操作子２０３を、電気かみそり１の正面１ａにおける端部１ｃに形成している。すなわち、電気かみそり１の正面１ａにおける使用者が把持部２を把持した際に親指が置かれる部位から左右に外れた部位に操作子２０３を設けている。そのため、電気かみそり１の使用時に、開口窓２１０の開閉を行う操作子２０３を誤って操作してしまうことを抑制することができるようになる。
【００７７】
また、本実施形態によれば、開口窓２１０を電気かみそり１の正面１ａにおける端部１ｃに形成し、操作子２０３をシャッター（蓋部）２００の開口窓２１０を覆う領域（被覆部２０２）に設けている。そのため、開口窓２１０を開閉するために操作子２０３に加える力が開口窓２１０を覆う領域（被覆部２０２）に伝わりやすくなり、シャッター（蓋部）２００の操作性の向上を図ることができる。
【００７８】
また、本実施形態によれば、外刃５１と内刃５４とを相対移動させるスイッチ部２２を電気かみそり１の正面１ａに設けているため、スイッチ部２２の操作と操作子２０３の操作を片手で行うことができるようになり、使い勝手がよくなる。
【００７９】
また、本実施形態によれば、開口窓２１０を複数設けているため、洗浄時に、水の導入口として機能させる開口窓２１０と水の排出口として機能させる開口窓２１０とを設定することができ、より効率よく空間部Ｓ内を洗浄することができるようになる。
【００８０】
また、本実施形態によれば、電気かみそり１の正面１ａにおける中央部１ｂに滑り止め部２４を設けている。このように、電気かみそり１の正面１ａにおける中央部１ｂに滑り止め部２４を設けることで、使用者が把持部２を把持した際に置かれた親指が滑ってしまうのを抑制することができ、より確実に開口窓２１０の開閉を行う操作子２０３を誤って操作してしまうことを抑制することができる。
【００８１】
また、本実施形態によれば、滑り止め部２４を、操作子２０３よりも下側に設けているため、使用者が把持部２を把持した際に置かれた親指が、仮に左右にずれてしまったとしても、ずれた部分に操作子２０３がないので、開口窓２１０の開閉を行う操作子２０３を誤って操作してしまうことをより抑制することができる。
【００８２】
また、本実施形態によれば、電気かみそり１の正面視で、内刃５４の端縁５４ｄと開口窓２１０とを上下方向でオーバーラップさせている。このように、体毛が溜まりやすい内刃５４の端縁５４ｄの近傍に開口窓２１０を形成することで、よりスムースに体毛を開口窓２１０から排出させることができるようになる。
【００８３】
また、本実施形態によれば、電気かみそり１の正面視における内刃５４の端縁５４ｄを、外刃５１に対する往復動のいずれの状態にあっても、開口窓２１０と上下方向でオーバーラップするようにしている。こうすれば、より一層スムースに体毛を開口窓２１０から排出させることができるようになる。
【００８４】
また、本実施形態によれば、内刃装着部１３１，１４１が、電気かみそり１の正面視において、開口窓２１０と上下方向でオーバーラップしないようにした。こうすれば、開口窓２１０から導入した水が内刃装着部１３１，１４１に当たって奥側（背面側）まで到達できなくなってしまうのを抑制することができ、空間部Ｓ内の洗浄性をより向上させることができるようになる。
【００８５】
また、本実施形態によれば、空間部Ｓを画成する下面部であるヘッドケースカバー８１に、電気かみそり１の正面視における中央部から開口窓２１０に向けて傾斜する傾斜部８１ｃを形成している。こうすれば、ヘッドケースカバー８１の中央部の水が傾斜部８１ｃを伝って開口窓２１０に向けて流れやすくなるため、より効率よく空間部Ｓ内を洗浄することができるようになる。なお、本実施形態では、電気かみそり１を立てた状態（図４に示す状態：把持部２が略垂直となるようにした状態）で、ヘッドケースカバー８１の上面が前方かつ下方に傾斜するようにしている。すなわち、開口窓２１０が設けられた側が下方となるように傾斜させている。そのため、電気かみそり１を立てた状態で空間部Ｓ内の乾燥をより効率的に行うことができるという利点もある。
【００８６】
また、本実施形態によれば、１つの操作子２０３で複数の開口窓２１０を開閉することが可能となるようにしている。このように、１つの操作子２０３で複数の開口窓２１０を開閉できるようにすることで、一度の操作で複数の開口窓の開閉を行うことができるため、開口窓２１０の開閉を楽に行うことができるようになる。
【００８７】
また、複数の開口窓２１０のうちのいずれかの開口窓２１０に操作子２０３を設けるようにすれば、操作子の設置自由度が向上し、デザイン性の向上を図ることができるようになる。
【００８８】
以上、本発明の好適な実施形態について説明したが、本発明は上記実施形態には限定されず、種々の変形が可能である。
【００８９】
例えば、上記実施形態では、回転モータおよび変換機構を用いて、内刃を往復動させるようにしたものを例示したが、振動型リニアアクチュエータを用いて内刃を往復動させるようにしてもよい。
【符号の説明】
【００９０】
１  電気かみそり
１ａ  正面
１ｂ  中央部
１ｃ  端部
２  把持部
３  ヘッド部
２２  スイッチ部
２４  滑り止め部
５１  外刃
５４  内刃
５４ｄ  端縁
１３０  第１駆動子（駆動子）
１３１  内刃装着部
１４０  第２駆動子（駆動子）
１４１  内刃装着部
２００  シャッター（蓋部）
２０３  操作子
２１０  開閉窓
Ｓ  空間部
【図１】
0005838335.tif 000002
【図２】
0005838335.tif 000003
【図３】
0005838335.tif 000004
【図４】
0005838335.tif 000005
【図５】
0005838335.tif 000006
【図６】
0005838335.tif 000007
【図７】
0005838335.tif 000008
【図８】
0005838335.tif 000009
【図９】
0005838335.tif 000010
【図１０】
0005838335.tif 000011